(57)【要約】  多機能吸引生検装置の一実施態様は、採取した試料を受容するための室を有しているハブ、ハブ室と連通する真空源、ハブから着脱可能でありハブ室と連通する出口を有する針、及び、針の縦軸と異なる方向に針で集めた試料をハブ室に導くために針出口の一部の上で延びるカバーを有する。採取した試料を有するハブ室は、真空源及び針から分離されてもよく、試料はハブ室内で選別されてもよい。使用済み針を受容するための採取容器の様々な実施態様も、開示される。【選択図】図１
2014518648.tif 000002
【特許請求の範囲】
【請求項１】
ａ）ハブ床面及び前記ハブ床面のチャネルで採取した試料を受容するためのハブ室を有するハブ、
ｂ）前記ハブ室と連通する真空源、
ｃ）前記ハブから着脱可能であり、前記ハブ室と連通する出口を有する針、及び
ｄ）前記ハブ室の縦軸とは異なる方向に前記ハブ室に前記針で集められる試料を導くために前記針出口の一部を通じて延びるカバーを含む、装置。
【請求項２】
前記カバーが前記真空源に取り付けられる、請求項１の装置。
【請求項３】
前記カバーが前記チャネルの一部として形成される、請求項１の装置。
【請求項４】
前記カバーが前記ハブ床面の一部として形成される、請求項１の装置。
【請求項５】
前記カバーが前記ハブの側壁の一部として形成される、請求項１の装置。
【請求項６】
前記針が、前記針の内腔を占めていて前記針内腔から着脱可能であるコアを有するスタイレットをさらに含み、前記スタイレットは前記針内腔と関連して前記コアを操作するための固定装置をさらに含む、請求項１の装置。
【請求項７】
採取した試料を受容するために前記ハブ室内で配置された取り外し可能な容器をさらに含む、請求項１の装置。
【請求項８】
前記カバーに第１の密封機構をさらに含む、請求項１の装置。
【請求項９】
前記真空源に第２の密封機構をさらに含む、請求項８の装置。
【請求項１０】
前記ハブが前記真空源及び前記針と分離可能であり、分離されたハブの前記ハブ室が、前記ハブの一端を密封する蓋及び前記ハブの対向端部を密封するプラグで密封可能である、請求項１の装置。
【請求項１１】
前記プラグは、前記針が前記ハブに取り付けられる時に前記針がそれを通って延びる前記ハブ床面のチャネルを密封する密封部材をさらに含む、請求項１０の装置。
【請求項１２】
前記密封部材が、前記チャネルに延びるコア、及び、前記コアを操作するための固定装置をさらに含む、請求項１１の装置。
【請求項１３】
前記蓋の内部表面は、前記ハブ室に採取した試料の水分を維持するための水分マトリクスをさらに含む、請求項１１の装置。
【請求項１４】
前記蓋で排気される、請求項１０の装置。
【請求項１５】
前記カバーが、前記針出口の一部を通じて延びる第１の位置から前記針出口から離れて延びる第２の位置に動くことができる、請求項１の装置。
【請求項１６】
前記カバーがさらにヒンジを含む、請求項１５の装置。
【請求項１７】
前記真空源がバレル及び前記バレル内で動くことができるプランジャをさらに含み、前記バレルは前記ハブと係合する端部を有する側壁、及び、前記バレルへの前記プランジャの動きを制限するバレル床面をさらに含み、前記バレル床面及びバレル側壁はバレル室を定め、前記バレル床面は前記バレル室と前記ハブ室との間の連通のための少なくとも一つの開口をさらに含む、請求項１の装置。
【請求項１８】
前記バレル床面が、前記カバーを形成する終点を有する下方へ延びる部分をさらに含む、請求項１７の装置。
【請求項１９】
前記ハブと関連して前記針を固定する前記ハブにネジ係合される針ホルダをさらに含む、請求項１の装置。
【請求項２０】
ａ）前記ハブ床面のチャネルを通じて採取した試料を受容するためのハブ床面及びハブ室を有するハブ、
ｂ）前記ハブから着脱可能であり、前記チャネル及び前記ハブ室と連通する針出口を有する針、及び、
ｃ）それを通して前記針出口を通過し除去されると、前記ハブ室を密封する密封機構を含む、装置。
【請求項２１】
前記密封機構が前記ハブ床面上の層である、請求項２０の装置。
【請求項２２】
前記密封機構が前記ハブ室の外側にある、請求項２０の装置。
【請求項２３】
前記ハブ床面の一部が前記密封機構を組み込む、請求項２０の装置。
【請求項２４】
前記密封機構が前記チャネル内に配置される、請求項２０の装置。
【請求項２５】
前記密封機構が前記ハブ室によりハブ拡張部に組み込まれる、請求項２０の装置。
【請求項２６】
ａ)ハブ及び着脱可能な針、
ｂ)複数のハブ拡張部を有する外側の壁を有する前記ハブ、
c)複数の針ホルダ拡張部を有する外側の壁を有する針ホルダ内で支持される前記取り外し可能な針を含む、装置。
【請求項２７】
少なくとも一つの下方に延長する指タブを有するバレルを含む真空源をさらに含む、請求項２６の装置。
【請求項２８】
前記真空源が複数の指の持ち手を有するプランジャをさらに含む、請求項２７の装置。
【請求項２９】
前記プランジャが細長い溝をさらに含む、請求項２８の装置。
【請求項３０】
前記ハブが前記真空源とネジ係合する、請求項２９の装置。
【請求項３１】
前記針ホルダが前記ハブとネジ係合する、請求項２６の装置。
【請求項３２】
前記ハブ拡張部が前記針ホルダ拡張部よりも大きな直径を有する、請求項２６の装置。
【請求項３３】
採取した試料を受容するための室、及び、前記ハブ部材から回転可能に着脱可能である針ホルダにより支持される針部材を有するハブ部材を含む採取装置から針を分離する方法であって：
ａ）支持された部材及び支持されない部材を形成するため他方と関連して前記ハブ部材及び前記針部材のうちの一つが支持されるように、前記採取装置を採取容器に挿入すること、
及び、ｂ）前記針が前記ハブから分離するまで前記支持された部材と関連して前記支持されない部材を回転させること、を含む方法。
【請求項３４】
前記ハブ部材が前記支持された部材であり、前記針部材が前記支持されない部材である、請求項３３の方法。
【請求項３５】
前記ハブ部材が前記支持されない部材であり、前記針部材が前記支持された部材である、請求項３３の方法。
【請求項３６】
前記支持されない部材の回転の間固定されている前記支持された部材を支持するための支持アームをさらに含む、請求項３３の方法。
【請求項３７】
前記支持アームが前記支持された部材を受容するためのスロット付き開口をさらに含む、請求項３６の方法。
【請求項３８】
前記支持されない部材をギアと回転可能に係合することをさらに含む、請求項３３の方法。
【請求項３９】
ハンドルで前記ギアを手動で動作することをさらに含む、請求項３８の方法。
【請求項４０】
ａ）採取装置を受容するための第１の部品、
ｂ）前記第１の部品で受容された採取装置の分離された部分を受容し、前記分離された部分は前記採取装置で露出部分を露出させる第２の部品、及び
ｃ）前記採取装置上の前記露出部分をふさぐための第３の部品、を含む採取容器。
【請求項４１】
ａ）室に針を通じて試料を集めること、
ｂ）前記室から前記針を分離すること、
ｃ）前記室を密封すること、
及び、ｄ）前記採取した試料を選別することを含む方法。
【請求項４２】
前記採取した試料を選別することは、
ａ）異なる生医学的試験のための異なる部分へ前記採取した試料を分割すること、又は、
ｂ）遠心分離管として前記密封された室を使用すること、又は、
ｃ）前記採取した試料を適所に供給する試料移送管として前記密封された室を使用すること、又は、
ｄ）細胞又は微生物培養のために採取した試料を有する前記密封された室を使用すること、又は、
ｅ）前記採取した試料の異なる試験のために試験管として採取した試料を有する前記密封された室を使用すること、又は、
ｆ）セルブロックを調整するために採取した試料を有する前記密封された室を使用すること、のうちの少なくとも一つをさらに含む、請求項４１の方法。
【請求項４３】
前記セルブロックを調整することが前記採取した試料とマトリクスを混合することを含む、請求項４２の方法。
【請求項４４】
ａ)前記ハブ床面のチャネルを通じて採取した試料を受容するための、ハブ床面及びハブ室を有するハブ、前記ハブ室へ前記試料を集め前記ハブから着脱可能であり、前記チャネル及び前記ハブ室と連通する針出口を有する針、及び、それを通って前記針出口が通過及び除去されると前記ハブ室を密封する密封機構を含む吸引装置；
ｂ)注入室床面を有し、注入材料を受容するための注入室を含む注入装置であって、前記注入室床面は、それを通して前記注入材料を供給するためのチャネル、及び、前記チャネルを前記注入室床面に密封する密封機構を有する注入装置；及び、
ｃ）前記ハブから着脱可能である前記針が、前記注入装置に取り付け可能であり、前記針出口が、前記針と前記注入室との間の流体連通を可能にするため、前記注入室床面の前記チャネルの前記密封機構を貫通する、吸引及び注入システム。
【請求項４５】
前記注入装置が注入材料で前もって満たされる、請求項４４のシステム。
【請求項４６】
前記注入装置が、プランジャ及びバレルを有する真空装置をさらに含み、前記注入室は前記真空装置の前記バレルである、請求項４４のシステム。
【請求項４７】
前記吸引装置密封機構が前記ハブ室の外側にある、請求項４４のシステム。
【請求項４８】
前記注入装置密封機構が前記注入室の外側にある、請求項４４のシステム。
【請求項４９】
前記注入装置密封機構が前記注入室により注入室拡張部に組み込まれる、請求項４８のシステム。
【請求項５０】
ａ)採取室を有する吸引装置に前記針を取り付けること、
ｂ)前記採取室へ第１の標的領域から前記針を通じて試料を吸い込むこと、及び、前記採取室から前記針を分離すること、
ｃ）前記針を前もって満たされた注入材料を有する注入装置に取り付けること、及び、ｄ）第２の標的領域に前記針を通じて前記前もって満たされた注入材料を注入すること、を含む吸引及び注入方法。
【請求項５１】
前記第１及び第２の標的領域が同じである、請求項５０の方法。
【請求項５２】
吸引が注入前に生じる、請求項５０の方法。
【請求項５３】
吸引が注入後に生じる、請求項５０の方法。
【請求項５４】
前記試料が密封機構によって前記採取室において保持される、請求項５０の方法。
【請求項５５】
前記針が針出口をさらに含み、前記方法は、前記針出口で前記密封機構を貫通することによって前記針を前記採取室に取り付けることをさらに含む、請求項５４の方法。
【請求項５６】
前記注入材料が密封機構によって前記注入装置において保持される、請求項５５の方法。
【請求項５７】
前記針出口で前記密封機構を貫通することによって前記針を前記注入装置に取り付けることをさらに含む、請求項５６の方法。
【発明の詳細な説明】
【技術分野】
【０００１】
関連出願の相互参照
本出願は、２０１１年４月１１日出願の米国特許出願第６１／５１６，９７１号、及び、２０１１年１１月１２日出願の米国特許出願第６１／６２９，０２２号から米国特許法第１１９条（ｅ）の下で利点を請求するものである。本出願はまた、２００６年１０月１９日出願の米国特許出願第６０／８５２，７９８号、２００６年９月２０日出願の米国特許出願第６０／８４６，０３６号、２００６年５月２０日の出願の米国特許出願第６０／８０１，７５９号、及び、２００６年３月２０日出願の米国特許出願第６０／７８３，８８１号から米国特許法第１１９条（ｅ）の下で利点を請求する２００７年３月２０日出願の係属中の米国特許出願第１１／６８８，２７６号の一部継続出願である。上記出願の各々の内容は、参照により本明細書に引用したものとする。
【背景技術】
【０００２】
微細針吸引 （ＦＮＡ）は、広く使われている識別診断手法である。しかしながら、ＦＮＡによってはわずかな限られた量の材料が得られるのみである。臨床検査における現行のプロセスでは、この限られた量の材料は最大限に使用されない。その結果、概して最初の又は識別試験を実行するのに十分な材料のみが得られるだけである。この手法で集められる材料の量が限られているので、さらなる病気の分類が大いに妨げられ、それにより、最終的な診断を得るためのより侵襲的手法につながるという結果になる。これはコストを増加させるだけでなく、診断を著しく遅れさせることになる。
【０００３】
オーダーメイド医療及びバイオマーカ同定は、現代医療において、特にガン診断及び治療においてますます重要になっている。より少ない試料によるより多くの試験の実施が将来の傾向になるであろう。ＦＮＡは、この目的には最高の手法であるように思われる。現行のＦＮＡ装置は、装置が細胞／組織採取のみに使われるということを含む、多くの制限を有する。集められると、試料は、さらなる試験のために違う場所へとさらに運搬するために異なる容器へ移されなければならず、各々の追加の移動により試料の一部に損失が生じ、時間がかかってしまう。加えて、複数の異なる試験は、同じ病変から試料を集める複数の個人用装置を必要とし、それによって、各々の装置及び採取から変動が生じてしまう。加えて、尖った針が作業者に付帯的な創傷を引き起こし、ＨＩＶ及び肝炎のような血液媒介感染症のリスクを増やす可能性がある。
【発明の概要】
【発明が解決しようとする課題】
【０００４】
単一のＦＮＡ手法のみにより、侵襲的な手法を必要としない、異なる試験でより決定的な診断、情報の収集、及び時間を節約することができるようにこの限られた材料の使用を最大限にするより安全なシステム及び方法の必要性が存在する。
【０００５】
現行のＦＮＡ及び針生検手法は、針を標的病変に入れるために異なる組織を通過する時、出血、気胸症、針経路に沿った腫瘍細胞の拡散等を含むある程度の追加的副作用を有する。この損傷の範囲を止める、少なくとも減少させることは重要である。有用であると考えられる一つの方法は、細胞又は組織を終えた後に針を体から抜く時、針経路を密封することである。他の状況では、医師が、まず標的病変領域に医療用材料（例えば治療用又は診断用化学薬品）を注入し、続いて同領域から細胞及び組織を採取する必要がある。
【課題を解決するための手段】
【０００６】
それゆえに、そのような副作用に対処するより安全なＦＮＡシステム及び方法の必要性がある。本開示の一実施態様において、針が着脱可能な細胞／組織採取装置と結合して針が着脱可能な注射器が提供される。一実施態様において、針が標的病変領域に到達する時に化学薬品が病変領域に注入されるように、注射器に化学薬品を含む、着脱可能な針を有する注射器が提供される。それから注射器は針から分離され、針はその位置に残り、採取装置が針の近位部分に取り付けられて、細胞及び／又は組織を集め始める。別の実施態様において、着脱可能な針を有する採取装置は、針が細胞又は組織を集めるために標的病変領域に到達するところで最初に使用され、それから針が分離されて、その位置に残り、そこで、化学薬品を含む針着脱可能な注射器（一実施態様において針経路を密封する）が針の近位部分に取り付けられ、化学薬品材料は、針が病変領域から体の外側に抜かれる時、針経路に注入される。
【０００７】
追加の特色及び利点は、本明細書に記載される様々な実施態様により理解される。
【０００８】
微細針吸引のための多機能吸引生検装置の様々な実施態様が開示される。一実施態様において、多機能吸引生検装置は、採取した試料を受容する室を有するハブ、ハブ室と連通する真空源、ハブから着脱可能でありハブ室と連通する出口を有する針、及び、針の縦軸と異なる方向へ針を通じて集めた試料をハブ室に導くための針出口の部分上で延長するカバーを含み提供される。採取した試料を有するハブ室は真空源及び針から分離されてもよく、試料はハブ室内で選別されてもよい。使用済み針を受容する採取容器の様々な実施態様も開示される。
【図面の簡単な説明】
【０００９】
【図１Ａ】図１Ａは、吸引装置の一実施態様を示す。
【図１Ｂ】図１Ｂは、図１Ａの装置の一部の一実施態様を拡大した図である。
【図１Ｃ】図１Ｃは、図１Ａの装置の一部の別の実施態様を拡大した図である。
【図２】図２は、吸引装置の別の実施態様である。
【図３Ａ】図３Ａは、カバーの実施態様を示す。
【図３Ｂ】図３Ｂは、カバーの実施態様を示す。
【図３Ｃ】図３Ｃは、カバーの実施態様を示す。
【図３Ｄ】図３Ｄは、カバーの実施態様を示す。
【図４】図４は、針ホルダ及びハブの部分分解図における一実施態様を示す。
【図５】図５は、針ホルダ及びハブの部分分解図における一実施態様を示す。
【図６Ａ】図６Ａは、針ホルダ及びハブの部分分解図における一実施態様を示す。
【図６Ｂ】図６Ｂは、針ホルダ及びハブの部分組立図を示す。
【図７Ａ】図７Ａは蓋及びプラグによって密封されるハブの一実施態様の分解立体図である。
【図７Ｂ】図７Ｂは蓋及びプラグによって密封されるハブの一実施態様の組立図である。
【図８】図８は、蓋に水分マトリクスを含む、密封されたハブ組立体の一実施態様を示す。
【図９】図９は、排気用蓋を含むハブ組立体の一実施態様を示す。
【図１０】図１０は、取り外し可能な容器を有する吸引装置の一実施態様を示す。
【図１１】図１１は、連続的な内腔を形成するようにハブチャネル壁と整列配置される針を有する装置の一部の一実施態様を示す。
【図１２Ａ】図１２Ａは、本開示の装置で使用可能なスタイレットの別の実施態様を示す。
【図１２Ｂ】図１２Ｂは、本開示の装置で使用可能なスタイレットの別の実施態様を示す。
【図１３Ａ】図１３Ａは、可撓性カバーを含む装置の一実施態様を示す。
【図１３Ｂ】図１３Ｂは、可撓性カバーを含む装置の一実施態様を示す。
【図１３Ｃ】図１３Ｃは、ヒンジを有する可撓性カバーを含む装置の一実施態様を示す。
【図１３Ｄ】図１３Ｄは、ヒンジを有する可撓性カバーを含む装置の一実施態様を示す。
【図１４Ａ】図１４Ａは、密封機構の一実施態様を含む装置ハブの一実施態様を示す。
【図１４Ｂ】図１４Ｂは、図１４Ａの装置ハブの実施態様に取り付けられる針の一実施態様を示す。
【図１４Ｃ】図１４Ｃは、針が取り除かれた図１４Ｂの装置ハブの実施態様を示す。
【図１４Ｄ】図１４Ｄは、密封機構の一実施態様を含む装置ハブの一実施態様を示す。
【図１４Ｅ】図１４Ｅは、図１４Ｄの装置ハブの実施態様に取り付けられる針の一実施態様を示す。
【図１４Ｆ】図１４Ｆは、針が取り除かれた図１４Ｅの装置ハブの実施態様を示す。
【図１４Ｇ】図１４Ｇは、密封機構の一実施態様を含む装置ハブの一実施態様を示す。
【図１４Ｈ】図１４Ｈは、図１４Ｇの装置ハブの実施態様に取り付けられる針の一実施態様を示す。
【図１４Ｉ】図１４Ｉは、針が取り除かれた図１４Ｈの装置ハブの実施態様を示す。
【図１５Ａ】図１５Ａは、密封機構の一実施態様を含む装置ハブの一実施態様を示す。
【図１５Ｂ】図１５Ｂは、図１５Ａの装置ハブの実施態様に取り付けられる取り外し可能な針の一実施態様を示す。
【図１５Ｃ】図１５Ｃは、密封機構の一実施態様を含む装置ハブの一実施態様を示す。
【図１５Ｄ】図１５Ｄは、図１５Ｃの装置ハブの実施態様に取り付けられる取り外し可能な針の一実施態様を示す。
【図１５Ｅ】図１５Ｅは、密封機構の一実施態様を含む装置ハブの一実施態様を示す。
【図１５Ｆ】図１５Ｆは、図１５Ｅの装置ハブの実施態様に取り付けられる取り外し可能な針の一実施態様を示す。
【図１５Ｇ】図１５Ｇは、密封機構の一実施態様を含む装置ハブの一実施態様を示す。
【図１５Ｈ】図１５Ｈは、図１５Ｇの装置ハブの実施態様に取り付けられる取り外し可能な針の一実施態様を示す。
【図１６Ａ】図１６Ａは、密封機構の一実施態様を含む装置ハブの一実施態様を示す。
【図１６Ｂ】図１６Ｂは、図１６Ａの装置ハブの実施態様に取り付けられる取り外し可能な針の一実施態様を示す。
【図１６Ｃ】図１６Ｃは、密封機構の一実施態様を含む装置ハブの一実施態様を示す。
【図１６Ｄ】図１６Ｄは、図１６Ｃの装置ハブの実施態様に取り付けられる取り外し可能な針の一実施態様を示す。
【図１７Ａ】図１７Ａは、密封機構を有する吸引装置の別の実施態様を示す。
【図１７Ｂ】図１７Ｂは、スタイレットで結合される図１７Ａの装置の実施態様を示す。
【図１８】図１８は、本発明の多機能吸引生検装置の別の実施態様を示す。
【図１９Ａ】図１９Ａは、図１９Ｂの実施態様で組立てられて示される採取容器の一実施態様例の分解立体図を示す。
【図１９Ｂ】図１９Ｂは、図１９Ａの採取容器の組立て図を示す。
【図１９Ｃ】図１９Ｃは、図１９Ｂの容器の実施態様の部分断面図を示す。
【図１９Ｄ】図１９Ｄは、図１９Ｂの容器の実施態様の部分断面図を示す。
【図１９Ｅ】図１９Ｅは、図１９Ｂの容器の部品の上面図の一実施態様を示す。
【図１９Ｆ】図１９Ｆは、図１９Ｄの容器の実施態様の部分断面図を示す。
【図１９Ｇ】図１９Ｇは、図１９Ｂの容器の一実施態様の部分断面図を示す。
【図１９Ｈ】図１９Ｈは、図１９Ｇに示される容器の実施態様の部品に接近する生検装置の一部の一実施態様の拡大した図を示す。
【図１９Ｉ】図１９Ｉは、図１９Ｇに示される容器の実施態様の部品と生検装置の一部との係合を示す。
【図２０】図２０は、手動で動作する採取容器の一実施態様を示す。
【図２１Ａ】図２１Ａは、本発明の多機能吸引生検装置の別の実施態様を示す。
【図２１Ｂ】図２１Ｂは、図２１Ａの装置の断面図を示す。
【図２１Ｃ】図２１Ｃは、図２１Ｂの領域２１Ｃの拡大した図を示す。
【図２１Ｄ】図２１Ｄは、図２１Ａの装置の下面図を示す。
【図２２Ａ】図２２Ａは、採取容器の別の実施態様の断面図を示す。
【図２２Ｂ】図２２Ｂは、図２２Ａの容器の部品の上面図の一実施態様を示す。
【図２２Ｃ】図２２Ｃは、図２２Ａの容器の一実施態様の部分断面図を示す。
【図２２Ｄ】図２２Ｄは、図２２Ａの容器の一実施態様の部分断面図を示す。
【図２３Ａ】図２３Ａは、採取容器の別の実施態様の断面図を示す。
【図２３Ｂ】図２３Ｂは、図２３Ａの容器の一実施態様の部分断面図を示す。
【図２３Ｃ】図２３Ｃは、図２３Ａの容器の部品の概略的な上面図の一実施態様を示す。
【図２４】図２４は、本発明の多機能吸引生検装置の実施態様と関連して使用される注入システムの一実施態様を示す。
【発明を実施するための形態】
【００１０】
本開示は、現在考えられる本発明を実施する最良の形態又は方法を記載するものである。この説明は限定的な意味で理解される意図を有さないが、本発明の利点及び構造を従来技術の当業者に知らせるために添付の図面を参照することで、説明の目的のために単に示される発明の例を提供するものである。図面の様々な図において、類似した参照符号は、同類の又は類似した部分を示している。
【００１１】
本発明の原理による例示の実施態様の説明は、書面による説明文全体の一部とみなされる添付の図面と関連して読み取られる意図を有する。本明細書に開示される本発明の実施態様の説明において、方向又は配向に関する参照は単に説明の便宜を意図するものであり、いかなる形であれ本発明の範囲を制限する意図を有しない。例えば「より低い」「より高い」、「水平」「垂直」、「より上」「より下」、「上」「下」、「上部」及び「底部」のような相対語は、それらの派生語（例えば「水平に」「下方へ」「上方へ」等）と同様に、記載される又は検討中の図に示す配向を指すものと解釈されるべきである。これらの相対語は説明の便宜上のみのためであり、装置が明確にそのように示されない限り、特定の配向で構成される又は動作する必要はない。「取り付ける」「添付する」「接続する」「連結する」「相互接続する」及び類似した用語は、明白に別途記載されない限り、可動式の又は固定式の取付け又は関係と同様、直接に又は介入的構造で間接的に構造が互いに固定される又は取り付けられる関係を指すものである。さらに、本発明の特色及び利点は、例証された実施態様を参照することで示される。したがって、本発明は、単独で又は他の特色の組合せにおいて存在してもよい特色の起こりうる非制限的ないくつかの組合せを示すそのような例示的な実施態様に明白に限られるべきではない；本発明の範囲は、添付の請求項によって定められる。
【００１２】
図１Ａは、標的病変から細胞及び／又は組織を吸引する目的のために概して使われるがそれに制限されるものではなく、例えば、遠心分離管、移送管、試験管、培養管及びセルブロック調整用の管として機能することができる特定の部品を有する多機能吸引生検装置１００の一実施態様を示す。他の機能性は、本開示の範囲内で可能である。
【００１３】
図１Ａの実施態様の装置１００は、室１２０を形成するために床面１１６に延びる縦軸１１２及び側壁１１４を有するハブ１１０をさらに含む。床面１１６は、針１５０の通路を形成するチャネル壁１１９に囲まれているチャネル１１８を有する。側壁１１４が一貫した直径で図１Ａに示される一方で、例えば、図２の別の実施態様の装置２００の先細側壁２１４のような構成であるがこれに制限されない他の構成が可能であることはいうまでもない。他の構成は可能である。
【００１４】
図１Ａに戻ると、装置１００は、室１２０と連通する真空源１３０、ハブ１１０の縦軸１１２に沿って着脱可能に床面１１６のチャネル１１８のチャネル壁１１９を通じて延び、縦軸１１２に沿ってハブ室１２０と連通して針入口１５３及び針出口１５４を有する内腔１５１を有する針１５０、及び、縦軸１１２と異なる方向で室１２０へ針１５０を通じて集められる試料５０を導くため、縦軸１１２とは異なる第２の軸１５２に沿って針出口１５４の一部を通じて延びるカバー１７０を含む。真空源１３０は、バレル１３２、及び、バレル１３２内で動くことができるプランジャ１３４をさらに含む。バレル１３２は、ハブ１１０と係合する端部１３７を有する側壁１３６、及び、バレル１３２と関連してプランジャ１３４の動きを制限するバレル床面１３８をさらに含み、バレル床面１３８及びバレル側壁１３６は、バレル室１４０を定めている。バレル床面１３８は、バレル室１４０とハブ室１２０との間の連通のため、少なくとも一つの開口１３９、及び、好ましくは複数の開口１３９をさらに含む。図１Ｂは、バレル１３２の側壁端部１３７がハブ１１０の側壁１１４のネジ端部１１７を係合するために貫かれているバレル１３２とハブ１１０との間の係合の一つの方法を示す。他の方法の係合は可能である。
【００１５】
針入口１５３が採取のために標的領域及び試料５０に位置する時、及び、プランジャ１３４がバレル１３２を通って引かれる時、バレル床面１３８の少なくとも一つの開口１３９を通ってバレル室１４０及びハブ室１２０の両方で真空が作成される。標的領域からの試料５０は、試料５０が針出口１５４に到達する時、真空源１３０の方へハブ１１０の縦軸１１２に沿って進行し続けられるように、ハブの縦軸１１２に沿って針出口１５４へ針入口１５３を通って引き出される。カバー１７０は、試料を離れるように、ハブ１１０の縦軸１１２と異なる軸１５２に沿って、ハブ１１０の側壁１１４の方へ及びハブ床面１１６上へ向け直し、そこでサンプリング及び分析の準備のために集められる。したがって、試料５０は、ハブ室１２０内で保持され、一以上の開口１３９を通じてバレル室１４０には引き出されない。
【００１６】
図１Ａの実施態様において、カバー１７０は、縦軸１１２から離れ、ハブ床面１１６の方へ試料５０を導くために好ましくは角度をつけられる。加えて、図１Ａ及び１Ｂの実施態様のカバー１７０は、バレル床面１３８の下方の拡張部１４２の終点１４４で形成され、バレル床面１３８と一体であり、縦軸１１２に沿って針出口１５４から間隔を置いて配置される。しかしながら、図１Ｃの実施態様に示すように、カバー１７０がハブ床面１１６の方へ試料を導くための針出口１５４（図１Ｃに図示せず）の近傍に又は接するように、カバー１７０もチャネル壁１１９の近傍に又は接するように置かれてもよい。
【００１７】
しかしながら、カバーは、バレル１３２の代わりにハブ１１０と関連してもよく、例えば、ハブ１１０ａ−１１０ｄに配置されるカバー１７０ａ−１７０ｄの様々な非制限的な実施態様を示す図３Ａから３Ｄに示されるように、ハブ１１０内に位置してもよい。図３Ａのハブ実施態様１１０ａにおいて、カバー１７０ａは、チャネル壁１１９ａ及びカバー１７０ａが側壁１１４ａ及びハブ床面１１６ａの方へ試料を導くために連続的な壁を形成するようにチャネル壁１１９ａの一つと一体の拡張部を形成する。図３Ｂのハブ実施態様１１０ｂにおいて、カバー１７０ｂはハブ床面１１６ｂから延び、側壁１１４ｂ及びハブ床面１１６ｂの方へ試料を導くため、チャネル壁１１９ｂの一つに隣接してチャネル１１８ｂ上に位置する。図３Ｃのハブ実施態様１１０ｃにおいて、カバー１７０ｃは、ハブ床面１１６ｃから延び、外側のチャネル１１８ｃに隣接してその上に位置し、針（図示せず）が側壁１１４ｃ及びハブ床面１１６ｃの方へ試料を導くように延びる。図３Ｄのハブ実施態様１１０ｄにおいて、カバー１７０ｄは、側壁１１４ｄから延び、チャネル１１８ｄ上に位置し、針（図示せず）が側壁１１４ｄ及びハブ床面１１６ｄの方へ試料を導くように延びる。本明細書に示される各々のハブ実施態様において、カバーは、ハブの縦軸から離れるように及び真空源（図示せず）から離れるように試料を導くためにチャネルを通じて延びる。
【００１８】
図１Ａに戻ると、針１５０は、ハブ拡張部１８０との針ホルダ１５８の係合を通じて好ましくは着脱可能にハブ１１０に接続される。特に図４の実施態様で、針ホルダ１５８は、ハブ拡張部１８０で雄ネジ１８９と係合する雌ネジ１５９を備え、そこで、針１５０は、針ホルダ１５８がハブ拡張部１８０と係合している間にチャネル１１８のチャネル壁１１９を通って延びる。本実施態様において、針１５０の直径は、チャネル壁１１９の直径よりわずかに小さい。したがって、針１５０は、チャネル壁１１９を通じて容易に挿入され、ハブ拡張部１８０へネジを止め及びそこからネジを外すことができる。
【００１９】
図４が係合の一つの方法を示す一方で、代わりの係合が可能である。例えば、図５に示されるハブ３１０の別の実施態様において、針ホルダ３５８は、ハブ拡張部３８０上で雌ネジ３８９と係合する雄ネジ３５９を備える。図６Ａ及び６Ｂは、ハブ拡張部を備えていないが代わりに図６Ｂに示すようにハブ４１０と係合するように圧入する針ホルダ４５８により直接係合するハブ４１０のさらに別の実施態様を示す。図４から６Ｂが、針とハブとの間の様々な係合を示す一方で、他の係合が可能である。例えば、針ホルダは、ハブ上で類似した迅速接続タイプの接続と嵌合する迅速接続タイプの接続を備えてもよい。あるいは、差込みタイプの接続が採用されてもよく、そこで針ホルダがハブ上に押され、それからハブとロック係合するように回転する。例えば入れるだけのタイプの配置のような他の係合の方法が可能である。
【００２０】
図７Ａは、真空源（図示せず）及び針（図示せず）から分離され、遠心分離機管試料移送管、試験管、培養管等の非制限的な方法で機能することができる密封室５２０環境へと変えられたハブ５１０（説明のために試料５０を含む）の一実施態様の分解立体図であり、図７Ｂは組立図である。特に、雌ネジ６１０を有する蓋６００は、ハブ５１０の側壁５１４のネジ端部５１７とネジ係合する。雌ネジ７１０及びコア７２０を有するプラグ７００は雌ネジ７１０がハブ拡張部５８０で雄ネジ５８９と係合し、コア７２０がチャネル壁５１９を通って延びてチャネル５１８を密封するようにハブ５１０のハブ拡張部５８０と係合する。図７Ａ及び７Ｂが特定の内側と外側のネジ式の配置を示す一方で、そのような配置は逆にすることができ（すなわち、蓋がハブ壁上の雌ネジと係合する雄ネジを含むことができる）、他の方法の係合も可能であることはいうまでもない。したがって、試料５０がハブ室内で集められると、針は回して外される又は別途ハブから分離されて安全に処分され、ハブは回して外される又は別途真空源から分離され、試料を有するハブはそれから、さらなる分析及び試験に備えて試料を保持するように密封される。
【００２１】
図８は、図７Ａ及び７Ｂの密封されたハブ環境を示すものであるが、密封された環境を水分管に変えるために蓋６００の内部表面６２０に取り付けられる水分マトリクス６５０が加えられたものである。水分マトリクス６５０は、スポンジ、濾紙又は他の異なる材料で構成されてもよいが、それらに制限されるものではなく、異なるユーザ条件によって、食塩水（例えば０．９％ＮａＣｌ）、ホルムアルデヒド等を含むがそれらに制限されない異なる液体を用いて湿らされてもよい。湿った水分マトリクス６５０は、一つの場所から他の場所への移動の間、採取した試料５０が乾燥しないように保つ。
【００２２】
図９は、ハブ８１０の別の実施態様を示す。先細側壁８１４、プラグ８０２、及び、孔として機能してハブ室８２０への空気の通過を可能にし、ハブ８１０が培養管として機能することを可能にする一以上の孔８０６を有する蓋８０４を有する。孔８０６はいかなる形状又はサイズであってもよく、ハブ室８２０を滅菌するように保つフィルタ（図示せず）に覆われても覆われなくてもよい。
【００２３】
図１０は、室９２０を定める側壁９１４及び床面９１６を有するハブ９１０、側壁９１４及び床面９１６に沿って室９２０内に設置される取り外し可能な容器９９０、ハブ床面９１６でチャネル壁９１９を通って延びる針９５０、及び、採取した試料５０を容器９９０へ導くためのカバー９７０を有する装置９００の別の実施態様を示す。容器９９０は例えば、プラスチック、濾紙等のような異なる材料で構成されてもよいがそれらに制限されるものではなく、固体であっても、フィルタバッグ、ウエブ等の形状であっても、いかなる形状、サイズ又は材料組成であってもよい。容器９９０を形成する材料は、柔らかくても硬くても、多孔性であっても固体であってもよく、特定の液体、細胞又は分子がその壁を通過することができるフィルタの形であってもよい。容器９９０は、カバー９７０によって導かれて採取した試料５０を受容してもよく、ハブ室９２０から着脱可能であり、吸引手順の間、異なる時間での異なる試験手続きのために使われてもよい。  
【００２４】
図１１は、針１０５０及びチャネル壁１０１９が接合位置１０５２で密封して当接し、単一の一体化した内腔を形成するように、ハブ拡張部１０８０に取り付けられる針１０５０と同じ直径のチャネル壁１０１９を有するハブ１０１０のさらに別の実施態様を示す。
【００２５】
図１２Ａは、好ましくは図１Ａのハブ１１０で中心固体コア１１１０及び固定装置１１２０から形成されるスタイレット１１００の用途の一例を示す。特に、コア１１１０が針１５０の内腔１５１を進行して満たすことができるように、コア１１１０の直径は針１５０の内腔１５１の直径よりわずかに小さい。針１５０が病変領域（図示せず）に打たれる時、スタイレット１１００のコア１１１０は、非病変膜組織が針１５０の内腔１５１に入るのを防ぐ。針先端又は入口１５３が標的膜組織（図示せず）に到達すると、スタイレット１１００のコア１１１０は針内腔１５１から引っ込められ、真空源（図示せず）が、標的膜組織で試料を吸い込むようにハブ１１０及び針１５０に接続される。したがって、スタイレット１１００は、例えば針１５０が標的組織試料領域に到達するために進行しなければならない病変領域の不必要な試料の採取を防ぐ。図１２Ｂは、針１５０がハブ（図示せず）に取り付けられる前に、針１５０に取り付けられるコア１２１０及び固定装置１２２０を有するスタイレット１２００の別の実施態様を示す一方で、図１２Ａは、針１５０がハブ１１０に取り付けられた後に、針１５０に取り付けられるスタイレット１１００の使用を示す。
【００２６】
図１１−図１２Ｂが、本明細書に記載される理由のために針出口上でカバーを有するハブと関連していない針１５０に係合するスタイレット１１００、１２００の特定の実施態様の使用を示す一方で、カバーがハブ床面の方へ採取した試料を導くように用いることは、特定の状況では好ましい。図１３Ａ−１３Ｄの別の実施態様において、側壁１３１４、床面１３１６、針１５０の延伸のための床面１３１６におけるチャネル１３１８、及び、針出口１５４を覆うためにカラー１３７２又は類似したもので床面１３１６に取り付けられる又はそこから別途延びるカバー１３７０を有するハブ１３１０が提供される。カバー１３７０は好ましくは可撓性材料から形成され、それによって、カバー１３７０は、例えば針１５０におけるスタイレット１３９０の通過に応答して、針出口１５４の一部の上で延びる図１３Ａに示される第１の位置１３７４から、針出口１５４から離れて図１３Ｂに示される第２の位置１３７６に移動することができる。カバー１３７０はカバー１３７０の本体範囲の全体にわたって可撓性材料で形成されても、本体の大部分を頑丈な材料で形成し、カラー１３７２近くの位置１３７５のみを可撓性材料で形成してもよい。カバー１３７０はそれゆえに、材料の固有の特性によりそのような位置１３７５で曲げられても、カバー１３７０が、図１３Ｃに示されるように、カバー１３７０を図１３Ｄの実施態様に示すように後方に伸縮させるようなヒンジ１３７８を備えてもよい。ヒンジ１３７８はカバー１３７０と同じ材料から形成されても、異なる材料であっても、厚みが薄い同じ材料であってもよい。他の実施態様は可能である。したがって、針１５０の内腔にスタイレット１３９０を導入したい場合、ハブ１３１０の縦軸１３１２上に配置されるカバー１３７０が、ハブ１３１０の縦軸１３１２から前後に動き、針１５０へのスタイレット１３９０の導入を可能にする。スタイレット１３９０が針１５０から取り除かれる時、カバー１３７０は、図１３Ａ又は図１３Ｃに示すようにその元の位置に戻り、ハブ１３１０の縦軸１３１２を通じて延び、本明細書に記載されるように針出口１５４を覆うように機能する。
【００２７】
図１４Ａ−図１７Ｂは、ハブ室の中への試料の採取の間と後における完全性を維持するためのハブ構造を有する密封機構の使用又は関連を組み込む様々な別の実施態様を示す。本明細書に記載される特定の実施態様において、密封機構は、それを通して針又はスタイレットを貫通又は通過するように突き通すことができる特定の材料特性を含む材料の層であり、針及び／又はスタイレットが取り除かれると、密封機構は針又はスタイレットが通過した位置を密封するようにその元の状態に戻る。特定の非制限的実施態様において、密封機構は、シリコン、ポリマー、ゴム及び上記のように機能する他の材料で形成されるが、それらに制限されるものではない。
【００２８】
図１４Ａ−図１４Ｃは、側壁１４１４ａ、床面１４１６ａ、針１５０（図１４Ｂ）がそこを通って延伸するために床面１４１６ａと同一平面であり、該床面を通って伸びるチャネル１４１８ａ、ハブ室１４２０ａ、及び、床面１４１６ａに及びチャネル１４１８ａ上に配置される密封機構１４０５ａを有するハブ１４１０ａ（説明のためにカバーなしで示される）の一実施態様を示す。密封機構１４０５ａは最初に、チャネル１４１８ａ（図１４Ａ）によって作成される開口からハブ室１４２０ａを密封し、例えば接着剤等の現在公知である又は今後開発される手段によって、好ましくは床面１４１６ａに取り付けられる。あるいは、密封機構１４０５ａは単純に床面１４１６ａへ着脱自在に挿入されてもよい。針１５０が図１４Ｂに示すように床面１４１６ａにチャネル１４１８ａを通じて取り付けられる時、針１５０は密封機構１４０５ａを貫通し、ハブ室１４２０ａに開口を作成する。その後で、針１５０は、密封機構１４０５ａに集まる試料５０を得るために用いられる。試料の採取が完了すると、針１５０は密封機構１４０５ａを通じてハブ１４１０ａから引っ込められ、その位置でハブ室１４２０ａは、図１４Ｃに示すようにチャネル１４１８ａと関連して再密封される。
【００２９】
図１４Ｄ−図１４Ｆは、側壁１４１４ｂ、床面１４１６ｂ、針１５０（図１４Ｅ）がそこを通って延伸するために床面１４１６ｂを通って延びるチャネル１４１８ｂ、ハブ室１４２０ｂ、及び、床面１４１６ｂに近接して、示すようにチャネル１４１８ｂ上にハブ１４１０ｂの下面１４１７ｂに配置される密封機構１４０５ｂを有するハブ１４１０ｂ（説明のためにカバーなしで示される）の代わりの実施態様を示す。密封機構１４０５ｂは最初に、チャネル１４１８ｂ（図１４Ｄ）によって作成される開口からハブ室１４２０ｂを密封し、例えば接着剤等の現在公知である又は今後開発される手段によって、好ましくは下面１４１７ｂに取り付けられる。針１５０が図１４Ｅに示すように床面１４１６ｂのチャネル１４１８ｂを通じて取り付けられる時、針１５０は密封機構１４０５ｂを貫通し、ハブ室１４２０ａに開口を作成する。その後で、針１５０は、ハブ床面１４１６ｂに集まる試料５０を得るために用いられる。試料５０の採取が完了すると、針１５０は、密封機構１４０５ｂを通じてハブ１４１０ｂから引っ込められ、その位置でハブ室１４２０ｂは、図１４Ｆに示すようにチャネル１４１８ｂと関連して再密封される。
【００３０】
図１４Ａ−図１４Ｆの実施態様において、密封機構１４０５ａ、１４０５ｂは、ハブ１４１０ａ、１４１０ｂから分離した要素として記載される。しかしながら、密封機構は、側壁１４１４ｃ、床面１４１６ｃ、針１５０がそこを通って延伸するために床面１４１６ｃのチャネル１４１８ｃ、ハブ室１４２０ｃ、及び、床面１４１６ｃの一部として形成される密封機構１４０５ｃを有するハブ１４１０ｃ（説明のためにカバーなしで示される）の代わりの実施態様を示す図１４Ｇ−図１４Ｉの実施態様に示すようなハブ構造で製造されてもよい。密封機構１４０５ｃは最初に、チャネル１４１８ｃ（図１４Ｇ）によって作成される開口からハブ室１４２０ｃを密封する。針１５０が図１４Ｈに示すように床面１４１６ｃのチャネル１４１８ｃを通じて取り付けられる時、針１５０は密封機構１４０５ｃを貫通し、ハブ室１４２０ｃに開口を作成する。その後で、針１５０は、ハブ床面１４１６ｃ及び密封機構１４０５cに集まる試料５０を得るために用いられる。試料５０の採取が完了すると、針１５０は、密封機構１４０５ｃを通じてハブ１４１０ｃから引っ込められ、その位置でハブ室１４２０ｃは、図１４Ｉに示すようにチャネル１４１８ｃと関連して再密封される。
【００３１】
図１５Ａ−図１５Ｂは、側壁１５１４ａ、床面１５１６ａ、針１５０がそこを通って延伸するために床面１５１６ａを通って延びるチャネル１５１８ａ、ハブ室１５２０ａ、及び、床面１５１６ａ内でチャネル１５１８ａを通って延びる密封機構１５０５ａを有するハブ１５１０ａ（説明のためにカバーなしで示される）の代わりの実施態様を示す。密封機構１５０５ａは最初に、チャネル１５１８ａによって作成される開口からハブ室１５２０ａを密封する。針１５０は、針ホルダ１５５８ａのハブ拡張部１５８０ａとの係合により、好ましくは着脱可能にハブ１５１０ａに接続される。特に、針ホルダ１５５８ａは、ハブ拡張部１５８０ａ上で雌ネジ１５８９ａと係合する雄ネジ１５５９ａを備え、針出口１５４は、図１５Ｂに示すように針ホルダ１５５８ａとハブ拡張部１５８０ａとが係合しているときに密封機構１５０５ａ及びチャネル１５１８ａを貫通する。その後で、針１５０は、ハブ床面１５１６ａに集まる試料５０を得るために用いられる。試料５０の採取が完了すると、針１５０はハブ１５１０ａから取り除かれ、その位置でハブ室１５２０ａはチャネル１５１８ａと関連して再密封される。
【００３２】
図１５Ｃ−図１５Ｄは、側壁１５１４ｂ、床面１５１６ｂ、針１５０がそこを通って延伸するために床面１５１６ｂを通って延びるチャネル１５１８ｂ、ハブ室１５２０ｂ、及び、チャネル１５１８ｂ全体に延び、例えば接着剤等の現在公知である又は今後開発される手段によって好ましくはハブ拡張部１５８０ｂ内でハブ１５１０ｂの下面１５１７ｂに取り付けられる密封機構１５０５ｂを有するハブ１５１０ｂ（説明のためにカバーなしで示される）の代わりの実施態様を示す。密封機構１５０５ｂは最初に、チャネル１５１８ｂによって作成される開口からハブ室１５２０ｂを密封する。針１５０は、針ホルダ１５５８ｂのハブ拡張部１５８０ｂとの係合により、好ましくは着脱可能にハブ１５１０ｂに接続される。特に、針ホルダ１５５８ｂは、ハブ拡張部１５８０ｂ上で雌ネジ１５８９ｂと係合する雄ネジ１５５９ｂを備え、針出口１５４は、図１５Ｄに示すように針ホルダ１５５８ｂとハブ拡張部１５８０ｂとが係合しているときに、密封機構１５０５ｂ及びチャネル１５１８ｂを貫通する。その後で、針１５０は、ハブ床面１５１６ｂに集まる試料５０を得るために用いられる。試料５０の採取が完了すると、針１５０はハブ１５１０ｂから取り除かれ、その位置でハブ室１５２０ｂはチャネル１５１８ｂと関連して再密封される。
【００３３】
図１５Ｅ−図１５Ｆは、側壁１５１４ｃ、床面１５１６ｃ、針１５０がそこを通って延伸するために床面１５１６ｃを通って延びるチャネル１５１８ｃ、ハブ室１５２０ｃ、及び、床面１５１６ｃ内でチャネル１５１８ｃを通って延びる密封機構１５０５ｃを有するハブ１５１０ｃ（説明のためにカバーなしで示される）の代わりの実施態様を示す。密封機構１５０５ｃは最初に、チャネル１５１８ｃによって作成される開口からハブ室１５２０ｃを密封する。針１５０は、針ホルダ１５５８ｃのハブ拡張部１５８０ｃとの係合により、好ましくは着脱可能にハブ１５１０ｃに接続される。特に、針ホルダ１５５８ｃは、ハブ拡張部１５８０ｃ上で雄ネジ１５８９ｃと係合する雌ネジ１５５９ｃを備え、針出口１５４は、図１５Ｆに示すように針ホルダ１５５８ｃとハブ拡張部１５８０ｃとが係合しているときに、密封機構１５０５ｃ及びチャネル１５１８ｃを貫通する。その後で、針１５０は、ハブ床面１５１６ｃに集まる試料５０を得るために用いられる。試料５０の採取が完了すると、針１５０はハブ１５１０ｃから取り除かれ、その位置でハブ室１５２０ｃはチャネル１５１８ｃと関連して再密封される。
【００３４】
図１５Ｇ−図１５Ｈは、側壁１５１４ｄ、床面１５１６ｄ、針１５０がそこを通って延伸するために床面１５１６ｄを通って延びるチャネル１５１８ｄ、ハブ室１５２０ｄ、及び、チャネル１５１８ｄ全体に延び、例えば接着剤等の現在公知である又は今後開発される手段によってハブ拡張部１５８０ｄ全体でハブ１５１０ｄの下面１５１７ｄに好ましくは取り付けられる密封機構１５０５ｄを有するハブ１５１０ｄ（説明のためにカバーなしで示される）の代わりの実施態様を示す。密封機構１５０５ｄは最初に、チャネル１５１８ｄによって作成される開口からハブ室１５２０ｄを密封する。針１５０は、針ホルダ１５５８ｄのハブ拡張部１５８０ｄとの係合により、好ましくは着脱可能にハブ１５１０ｄに接続される。特に、針ホルダ１５５８ｄは、ハブ拡張部１５８０ｄ上で雄ネジ１５８９ｄと係合する雌ネジ１５５９ｄを備え、針出口１５４は、図１５Ｈに示すように針ホルダ１５５８ｄとハブ拡張部１５８０ｄとが係合しているときに、密封機構１５０５ｄ及びチャネル１５１８ｄを貫通する。その後で、針１５０は、ハブ床面１５１６ｄに集まる試料５０を得るために用いられる。試料５０の採取が完了すると、針１５０はハブ１５１０ｄから取り除かれ、その位置でハブ室１５２０ｄはチャネル１５１８ｄと関連して再密封される。
【００３５】
図１４Ａ−図１５Ｈの実施態様において、針１５０は、針出口１５４がハブチャネルを通じハブ室へ延びるようにハブチャネルの直径より小さい直径を有する。しかしながら、先に述べた図１１の実施態様と一致して、針及びハブチャネルは当接関係で接合するように、同じ直径を有してもよい。したがって、例えば、図１６Ａ−図１６Ｂの実施態様は、図１５Ｃ−図１５Ｄのハブ１５２０ｂに類似しているが、針１５０及びチャネル１６１８ａが単一の一体化した内腔を形成するために接合点１６５２ａで当接するように、針１５０がハブチャネル１６１８ａの直径と同じ直径を有するハブ１６１０ａ（説明のためにカバーなしで示される）の代わりの実施態様を示す。特に、ハブ１６１０ａは、側壁１６１４ａ、床面１６１６ａ、床面１６１６ａを通って延びるチャネル１６１８ａ、ハブ室１６２０ａ、及び、チャネル１６１８ａ全体に延び、例えば接着剤等の現在公知である又は今後開発される手段によってハブ拡張部１６８０ａ内でハブ１６１０ａの下面１６１７ａに好ましくは取り付けられる密封機構１６０５ａを有する。密封機構１６０５ａは最初に、チャネル１６１８ａによって作成される開口からハブ室１６２０ａを密封する。針１５０は、針ホルダ１６５８ａのハブ拡張部１６８０ａとの係合により、好ましくは着脱可能にハブ１６１０ａに接続される。特に、針ホルダ１６５８ａは、ハブ拡張部１６８０ａ上で雌ネジ１６８９ａと係合する雄ネジ１６５９ａを備え、針出口１５４は、図１６Ｂに示すように針ホルダ１６５８ａとハブ拡張部１６８０ａとが係合しているときに、密封機構１６０５ａを貫通し、接合位置１６５２ａでチャネル１６１８ａに当接する。その後で、針１５０は、ハブ床面１６１６ａに集まる試料５０を得るために用いられる。試料５０の採取が完了すると、針１５０はハブ１６１０ａから取り除かれ、その位置でハブ室１６２０ａはチャネル１６１８ａと関連して再密封される。
【００３６】
図１５Ｇ−図１５Ｈの実施態様に類似して、図１６Ｃ−図１６Ｄの実施態様は、側壁１６１４ｂ、床面１６１６ｂ、床面１６１６ｂを通って延びるチャネル１６１８ｂ、ハブ室１６２０ｂ、及び、チャネル１６１８ｂ全体に延び、例えば接着剤等の現在公知である又は今後開発される手段によってハブ拡張部１６８０ｂ全体でハブ１６１０ｂの下面１６１７ｂに好ましくは取り付けられる密封機構１６０５ｂを有するハブ１６１０ｂ（説明のためにカバーなしで示される）の代わりの実施態様を示す。密封機構１６０５ｄは最初に、チャネル１６１８ｂによって作成される開口からハブ室１６２０ｂを密封する。針１５０は、針ホルダ１６５８ｂのハブ拡張部１６８０ｂとの係合により、好ましくは着脱可能にハブ１６１０ｂに接続される。特に、針ホルダ１６５８ｂは、ハブ拡張部１６８０ｂ上で雄ネジ１６８９ｂと係合する雌ネジ１６５９ｂを備え、針出口１５４は、図１６Ｄに示すように針ホルダ１６５８ｂとハブ拡張部１６８０ｂとが係合しているときに、密封機構１６０５ｂを貫通し、接合位置１６５２ｂでチャネル１６１８ｂに当接する。その後で、針１５０は、ハブ床面１６１６ｂに集まる試料５０を得るために用いられる。試料５０の採取が完了すると、針１５０はハブ１６１０ｂから取り除かれ、その位置でハブ室１６２０ｂはチャネル１６１８ｂと関連して再密封される。
【００３７】
図１７Ａ−１７Ｂの実施態様において、試料の部位（図示せず）にスタイレット１７９０を組み込んで供給する方法と組み合わせられる多機能吸引生検装置１７００の別の実施態様が提供される。従来の吸引針は、一般に互いに別々に梱包される二つの異なる部分、すなわち、スタイレットを有する針及び真空源（例えば注射器）で構成される。典型的な手順の間、専門家（例えば医師）はまず患者の体にスタイレットを有する針を導入し、標的領域（病変領域）に到達させて、それから、スタイレットは針から引き出され、針は、標的領域から細胞及び組織を引き出すために真空源に接続される。このプロセスにより、専門家にとって困難及び不都合が生じ、針が患者の体内にある時に針を真空源に接続するステップのために患者に追加的な苦痛を与える可能性がある。しかしながら、図１７Ａ−１７Ｂの実施態様において、針が患者の体に導入される時及びスタイレットが針から引っ込められる時、針及び真空源は、単一のユニットとして協働し、したがって、専門家及び患者にとっての上記の問題点及び不都合を解決することにつながる。
【００３８】
特に、図１７Ａ−図１７Ｂは、スタイレット１７９０と結合した多機能吸引生検装置１７００の別の実施態様を示し、多機能吸引生検装置１７００は、縦軸１７１２、及び、室１７２０を形成するために床面１７１６に延びる側壁１７１４を有するハブ１７１０を有する。床面１７１６は、針１５０のための通路を形成するチャネル壁１７１９に囲まれるチャネル１７１８を有する。側壁１７１４が一貫した直径で示される一方で、例えば、図２の実施態様に示す先細側壁の構成のような他の構成が可能であることはいうまでもないが、それに制限されるものではない。他の構成は可能である。装置１７００はまた、室１７２０と連通した真空源１７３０、床面１７１６でハブ１７１０の縦軸１７１２に沿って着脱可能にチャネル１７１８のチャネル壁１７１９を通って延びる内側の内腔１５１を有し、縦軸１７１２に沿って針入口１５３及び針出口１５４を有してハブ室１７２０と連通する針１５０、及び、縦軸１７１２と異なる方向で室１７２０へ針１５０を通じて集めた試料５０を導くため、縦軸１７１２と異なる第２の軸１７５２に沿って針出口１５４の一部の上に延びるカバー１７７０を含む。真空源１７３０はさらに、バレル１７３２及びバレル１７３２内で動くことができるプランジャ１７３４を含む。バレル１７３２はさらに、ハブ１７１０の側壁１７１４のネジ端部１７１７と係合するネジ端部１７３７を有する側壁１７３６、及び、バレル１７３２と関連してプランジャ１７３４の動きを制限するバレル床面１７３８を含み、バレル床面１７３８及びバレル側壁１７３６はバレル室１７４０を定める。バレル床面１７３８はさらに、バレル室１７４０とハブ室１７２０との間の連通のための少なくとも一つの開口１７３９、好ましくは複数の開口１７３９を含む。図１７Ａ−図１７Ｂがハブ１７２０と真空源１７３０との間のネジ係合を示す一方で、他の係合の方法は可能である。
【００３９】
装置１７００内にスタイレット１７９０を収容するため、密封機構１７０５−１７０７は、装置１７００に沿って、好ましくは縦軸１７１２に沿って戦略的に特定の位置に置かれ、図１７Ｂに示すようにスタイレット１７９０の通路を集合的に収容するカバー密封機構１７０５、プランジャ本体密封機構１７０６、及び、プランジャ・ハンドル密封機構１７０７を含む。したがって、真空源１７３０及びハブ１７１０を通じて密封された経路がスタイレット１７９０のために作成されて、スタイレット１７９０は真空源１７３０を通じて直接針１５０に接続することができ、単一のユニットとして機能する。スタイレット１７９０が患者（図示せず）に導入されて標的（すなわち病変）領域に届いた後、スタイレット１７９０は装置１７００から取り除かれ、密封機構１７０５−１７０７を通じて引っ込められて、そのために、密封機構１７０５を通じてスタイレット１７９０を引っ込めることで、スタイレット１７９０の挿入された端部に存在する標的細胞及び組織がカバー１７７０から真空源１７３０へ通過するのを防ぐ。密封機構１７０６及び１７０７は真空の完全性を壊さず、したがって、真空源１７３０は、図１７Ａに示すようにスタイレット１７９０が密封機構１７０５−１７０７で延びない時に適切に機能する。それゆえに、図１７Ａ−図１７Ｂの装置１７００の実施態様で、針１５０及び真空源１７３０は、針１５０が患者の体（図示せず）に導入される時及びスタイレット１７９０が針１５０から引っ込められる時、単一のユニットとして協働し、したがって、専門家及び患者の上記の問題点及び不都合を解決する。
【００４０】
図１８は、ハブ１８１０、試料（図示せず）の採取のための内部ハブ室１８２０、バレル１８３２及びプランジャ１８３４によって定められる真空源１８３０、及び、ハブ１８１０から延びるハブ拡張部（図示せず）に着脱自在に取り付けられる針ホルダ１８５８によって保持される針１５０を有する多機能吸引生検装置１８００の一実施態様の斜視図を示す。ハブ１８１０の側壁１８１４はバレル１８３２上の雌ネジ１８３７とネジ係合する雄ネジ１８１７で終端するので、本明細書における先の多くの実施態様で述べたように、ハブ１８１０はバレル１８３２から着脱可能である。ハブの側壁１８１４は後述するように握持の改良、及び、針ボックスとの係合のため、少なくとも一つの、より好ましくは複数の拡張部又は翼１８１５を備える。針ホルダ１８５８も、図１９Ａ−図１９Ｉの接続にて説明するように握持の改良、及び、採取容器１９００の一実施態様との係合のため、少なくとも一つの、より好ましくは複数の拡張部又は翼１８５５を備える。ハブ拡張部１８１５は針ホルダ拡張部１８５５より大きな直径で外側に延びるが、ハブ拡張部１８１５は針ホルダ拡張部１８５５と同じ又はより小さい直径で外側に延びてもよい。図１８の実施態様が特定の数の拡張部１８１５、１８５５を示す一方で、いかなる数、サイズ、直径の拡張部、又は、他の構成が可能であることはいうまでもない。
【００４１】
図１９Ａは、本明細書に記載のように、針１５０が取り付けられた多機能吸引生検装置１８００を受容するように適応する第１の部品１９２０、使用済み針１５０の通路のための開口１９４５及び使用済み針１５０の採取のための内部空間１９５０を有し、第２の部品１９４０が好ましくは第１の部品１９２０から着脱可能である第２の部品１９４０、及び、多機能吸引生検装置１８００をふさぐように適応する第３の部品１９６０を有する採取容器１９００の一実施態様の分解立体図であり、図１９Ｂは組立図であり、図１９Ｃは部分断面図である。採取容器１９００の構造及び使用を説明するために多機能吸引生検装置１８００が本明細書で使われる一方、所望のように容器１９００が他の生検装置又は針で使われてもよいことはいうまでもない。さらに容器１９００が三つの部品１９２０、１９４０及び１９６０と関連して記載される一方、以下の説明から、第３の部品１９６０が任意であり、第２の部品１９４０が第１の部品１９２０から着脱可能ではなくてもよいことはいうまでもない。他の構造上の変化は可能である。  
【００４２】
図１９Ｄは、容器１９００の第１の部品１９２０と装置１８００の係合の一実施態様の部分断面図であり、第１の部品は、外側表面１９２２、及び、支持アーム１９２７に提供される第２の開口１９２６に装置ハブ１８１０を導くように適応する外側表面１９２２の第１の開口１９２４を有し、第２の開口１９２６は、ハブ１８１０（図１８参照）上で翼１８１５と係合して捕らえるスロット１９２８（図１９Ｅの第１の部品１９２０の上面図によりはっきりと示される）を有している。第２の開口１９２６は第１の部品１９２０の内部空間１９１０において支持アーム１９２７内で固定され、残りの装置１８００及び針ホルダ１８５８と関連してハブ１８１０を据え付けるように機能する。
【００４３】
容器１９００の第１の部品１９２０は、針ホルダ１８５８上で翼１８５５（図１８）と係合する歯１９３２を有する少なくとも一つ、好ましくは一対のギア１９３０をさらに含む。ギア１９３０は、第１の部品１９２０の内部空間１９１０への針ホルダ１８５８の挿入を可能にするように挿入された針ホルダ１８５８から間隔を置いて配置される図１９Ｄに示される第１の位置と、針ホルダ１８５８と係合する図１９Ｆに示される第２の位置との間で支持体１９３４（図１９Ｆ）に沿って動くことができる。第２の開口１９２６へ装置ハブ１８１０が挿入されると、及び、一実施態様においては、第２の開口１９２６へハブ１８１０がさらに押圧されて支持アーム１９２７が下方へ移動させられると、スイッチ（図示せず）が作動しギア１９３０が針ホルダ１８５８に接近させられて、ギア歯１９３２は針ホルダ１８５８上の翼１８５５（図１８）と係合し、そして、針１５０を有する針ホルダ１８５８がハブ１８１０から分離し開口１９４５を通り第２の部品１９４０（図１９Ｃ参照）の内部空間１９５０へ落下するまで、捕らえられたハブ１８１０に関連して針ホルダ１８５８を回転させる。電源及び駆動メカニズム（両方とも図示せず）は、ギア１９３０に電力を供給して駆動するために容器１９００に組み込まれてもよい。
【００４４】
一実施態様において、第１の部品１９２０への装置１８００の挿入により、上記の通りに自動的にギア１９３０が作動する。別の実施態様において、ギア１９３０は、ユーザが手動で作動しなければならない外部のスイッチ（図示せず）によって作動してもよい。別の実施態様において、光源（例えば赤外線又はレーザービーム）（図示せず）及びセンサのような検出システムが、スイッチを作動させるために用いられてもよく、そこにおいて、第１の部品１９２０への装置１８００の挿入により、ギアを作動させるようにスイッチを始動するセンサで検出される光線ビームが中断される。ギア等に依存しない図２０に示される別の実施態様において、針ホルダ１８５８がハブ１８１０から分離し容器２０００の内部空間２０３０へ落下するまで針ホルダ１８５８が第２の開口２０２０内で捕らえられたままである一方で、ハブ１８５８及び装置１８００が手動で回転してもよいように、装置ハブ１８１０の通路のための第１の開口２０１０、及び、ハブ１８１０と関連して針ホルダ１８５８を据え付けるために針ホルダ１８５８（図１８）の翼１８５５のみを捕らえるスロット２０２５を備えた第２の開口２０２０を有する容器２０００が提供される。内部空間２０３０は容器２０００から着脱可能であっても、容器２０００全体が使い捨てであってもよい。他の構成は可能である。
【００４５】
ここで図１９Ｇに戻ると、針ホルダ１８５８（図１８）及び針１５０が装置ハブ１８１０から取り除かれた後、第３の部品１９６０は利用され、中に集められた試料の輸送及び分析に備えて装置ハブ１８１０をふさぐ必要がある。第３の部品１９６０はさらに、開口１９６３及び開口１９６３を通って延びる管１９６４を有し、管１９６４が開口１９６３を完全に通過するのを防ぐカラー１９６６を有するカバー１９６２を含む。管１９６４は床面１９７０から上方へ延びる支持体コア１９６８に沿って摺動し、管１９６４は、支持体コア１９６８周辺で延びるバネ１９７２によって、床面１９７０に取り付けられる。バネ１９７２が床面１９７０から離れて完全に付勢される時、カラー１９６６がカバー１９６２に接触するように、管１９６４は床面１９７０から離れて付勢される。図１９Ｈで示すように装置ハブ１８１０との係合に備えて、複数のプラグ１９７４は管１９６４内で積み重ねられる。図１９Ｉの実施態様において、装置ハブ１８１０が、チャネル１８１８及び装置ハブ１８１０のハブ室１８２０を密封するためにプラグ１９７４と係合して取り付けられるまで、装置ハブ１８１０は管１９６４に対して押圧され、管１９６４を支持体コア１９６８に沿って下方へ押し下げる。その後で、ハブ１８１０及びプラグ１９７４は、管１９６４から取り除かれる。ハブ１８１０のプラグ１９７４との係合は、圧入係合又はネジ係合（図示せず）であってもよい。他の係合の方法は可能である。プラグ１９７４のすべてが空になり、管１９６４が床面１９７０に関して完全に延びた後、追加のプラグ１９７４が、本明細書に記載のように装置１８００との係合に備えて管１９６４に導入されてもよい。
【００４６】
プラグ１９７４は、シリコン、ポリマー、ゴム等を含むがこれらに制限されない密封用材料を含んでもよい。例えば、針１５０が切れてしまった（図示せず）時、針が針ホルダ等に取り付けられない場合のようにハブ１８１０から完全に取り除く代わりに、針の切れた部分がプラグ１９７４の密封用材料を貫通し、針及びハブ１８１０の考えられる開口を密封する。
【００４７】
したがって、容器１９００は、二つの異なる機能を果たしてもよい。第１の部品１９２０は取り外し可能な針１５０を装置ハブ１８１０から分離するために用いられてもよく、そこで取り外し可能な針１５０は、第２の部品１９４０内に適切かつ安全に配置される。これは、装置１８００がハブ１８１０内で試料を集めるために用いられた後、生じる可能性がある。あるいは、第１の部品１９２０は、針１５０のわずかな部分のみが残るように、針１５０（図示せず）を切るために用いられてもよい。その後で、試料の分析のための装置１８００の運搬の準備のため、試料を有するハブ１８１０は、第３の部品１９６０からプラグ１９７４でふさがれてもよい。
【００４８】
図２１Ａから図２１Ｄは、取り外し可能なハブ２１１０、試料（図示せず）の採取のための内部ハブ室２１２０、バレル２１３２及びプランジャ２１３４によって定められる真空源２１３０、及び、例えばハブ２１１０から延びるハブ拡張部２１８０に雄ネジ２１５９を経て着脱自在に取り付けられる針ホルダ２１５８によって保持される針１５０を有する多機能吸引生検装置２１００の別の実施態様を示す。ハブ２１１０の側壁２１１４は周囲の枠２１１６をさらに含み、バレル２１３２上の雌ネジ２１３７（図２１Ｃ）と係合する雄ネジ２１１７で終端するので、ハブ２１１０は、本明細書の多くの実施態様で記載したようにバレル２１３２から着脱可能である。ハブ２１１０の側壁２１１４は、握持の改良、及び、後述するように採取容器との係合のため、少なくとも一つ、より好ましくは複数の拡張部又は翼２１１５を備える。針ホルダ２１５８はまた、以下の様々な実施態様で説明するように、握持の改良、及び、採取容器との係合のため、少なくとも一つ、より好ましくは複数の拡張部又は翼２１５５を備える。図２１Ａ−図２１Ｄに示された実施態様において、ハブ拡張部２１１５は針ホルダ拡張部２１５５より大きな直径で外側に延びるが、ハブ拡張部２１１５は針ホルダ拡張部２１５５と同じ又はより小さい直径で外側に延びてもよい。図２１Ａ−図２１Ｄの実施態様が特定の数の拡張部２１１５、２１５５を示す一方で、いかなる数、サイズ、直径の拡張部、又は、他の構成が可能であることはいうまでもない。
【００４９】
図２１Ａ−図２１Ｄの実施態様の真空源２１３０はさらに、複数の横に延びる指タブ２１４２及び複数の下方へ延びる指タブ２１４４を有するバレル枠２１４０を備える。一対の横に延びる指タブ２１４２及び一対の下方へ延びる指タブ２１４４の間隔を置いた組合せが示されているが、バレル枠２１４０は、横に延びる指タブ２１４２のみが存在しても、下方へ延びる指タブ２１４４のみが存在しても、他の数のタブ又は図に示されたもの以外の異なる組合せが存在してもよいことはいうまでもない。さらに、タブ２１４２、２１４４は９０°の間隔で配置されるが、他の間隔が可能であることはいうまでもない。特定のユーザにとって、下方へ延びる指タブ２１４４は、横に延びる指タブ２１４２よりも扱いが容易かつ楽である可能性がある。プランジャ２１３４は、各々ユーザの手（図示せず）の異なる部分による握持のための複数の間隔を置いた指の持ち手２１３５及び長手方向に延びる細長い溝２１３６を有する輪郭のある本体をさらに備える。
【００５０】
図２２Ａ−図２３Ｃは、針１５０が取り付けられた多機能吸引生検装置２１００を受容するように適応する採取容器２２００、２３００の様々な実施態様の部分断面図を示す。図２１Ａ−２１Ｄの多機能吸引生検装置２１００が採取容器２２００の構造及び使用を説明するために本明細書で使われる一方で、所望のように容器２２００が他の生検装置又は針で使われてもよいことはいうまでもない。他の構造上の変化は可能である。図２２Ａ−２２Ｄで示される一実施態様において、採取容器２２００は適所に針ホルダ２１５８を支持し、そして、針ホルダ２１５８と関連して装置ハブ２１１０を回転させるように装置ハブ２１１０を係合して、それによって装置ハブ２１１０から針ホルダ２１５８を分離する。図２３Ａ−２３Ｃに示される別の実施態様において、採取容器２３００は適所に装置ハブ２１１０を支持し、そして、装置ハブ２１１０と関連して針ホルダ２１５８を回転させるように針ホルダ２１５８を係合して、それによって装置ハブ２１１０から針ホルダ２１５８を分離する。
【００５１】
特に図２２Ａ−図２２Ｄの実施態様において、採取容器２２００は、使用済みの又は分離した針１５０を受容するための内部空間２２１０、外側表面２２２２から上方へ延びる壁２２２３に少なくとも部分的に囲まれる、より好ましくは完全に囲まれる第１の開口２２２４を有する外側表面２２２２をさらに含む。第１の開口２２２４は、装置ハブ２１１０を受容し、容器２２００の内部空間２２１０内で支持アーム２２２７上に提供される第２の開口２２２６への針ホルダ２１５８の通過を可能にするために必要な大きさにされる。第２の開口２２２６は、針ホルダ２１５８上で翼２１５５を係合して捕らえるスロット２２２８（図２２Ｂの容器２２００の上面図によりはっきりと示される）を有する。第２の開口２２２６は、容器２２００の内部空間２２１０の支持アーム２２２７内で固定され、装置ハブ２１１０と関連して針ホルダ２１５８を支持して据え付けるように機能する。
【００５２】
容器２２００はさらに、装置ハブ２１１０上の翼２１１５を係合する歯２２３２を有する少なくとも一つ、好ましくは一対のギア２２３０を含む。ギア２２３０は、示された実施態様において手動で動作するハンドル２２５０により駆動される駆動ギア２２４０によって駆動される。ハンドル２２５０が示されているが、例えば現在公知である又は今後開発される電気モーター又は他の電力系統のような他の駆動装置が使われてもよいことはいうまでもない。スペーサリング２２６０のようなスペーサは、ギア２２３０が支持アーム２２２７と関連して回転できる一方でギア２２３０及び支持アーム２２２７をゆるく接続するようにギア２２３０と支持アーム２２２７との間で提供される。ギア２２３０は、容器２２００の内部空間２２１０への針ホルダ２１５８の挿入を可能にするように装置ハブ２１１０から間隔を置いて配置される図２２Ｃに示される第１の位置と、装置ハブ２１１０の装置ハブ２２１０及び特に翼２１１５と係合する図２２Ｄに示される第２の位置との間で、ハンドル２２５０等による駆動ギア２２４０の起動により動くことができる。装置ハブ２１１０の翼２１１５とギア歯２２３２が係合すると、針１５０を有する針ホルダ２１５８が装置ハブ２１１０から分離し容器２２００の内部空間２２１０へ落下するまで、ギア２２３０の回転によって、第２の開口２２２６において捕らえられた針ホルダ２１５８と関連して装置ハブ２１１０、及び、装置ハブ２１１０の上の残りの装置２１００の回転が生じる。
【００５３】
装置ハブ２１１０からの針ホルダ２１５８の分離は、ギア２２３０に取り付けられる抽出アーム２２７２、及び、装置ハブ２１１０と針ホルダ２１５８との間に最初に存在し最初に針ホルダ２１５８に対して下方へ付勢される抽出用指２２７４を有する排出部材２２７０の使用によって容易にされる。針ホルダの雄ネジ２１５９の露出につながるように針ホルダ２１５８と関連して装置ハブ２１１０が回転すると、抽出用指２２７４が針ホルダ２１５８上の雄ネジ２１５９と係合しそれに沿って進む。針ホルダ２１５８、及び、装置ハブ２１１０と針ホルダ２１５８との間の分離点と関連して装置ハブ２１１０が最終的に回転すると、針ホルダ２１５８に対して抽出用指２２７４によって提供される偏りにより、針ホルダ２１５８が装置ハブ２１１０から離れ、容器２２００の内部空間２２１０へ付勢される。排出部材２２７０の使用が示されているが、そのような排出部材２２７０が任意であり、針ホルダ２１５８は単純に重力のみにより容器２２００の内部空間２２１０に落下してもよいことはいうまでもない。
【００５４】
あるいは、図２３Ａ−図２３Ｃの実施態様において、採取容器２３００は、使用済みの又は分離した針１５０を受容するための内部空間２３１０、外側表面２３２２から上方へ延びる壁２３２３に少なくとも部分的に囲まれる、より好ましくは完全に囲まれる支持アーム２３２７上の第１の開口２３２４を有する外側表面２３２２をさらに含む。第１の開口２３２４は、装置ハブ２１１０を受容し、容器２３００の内部空間２３１０内で第２の開口２３２６への針ホルダ２１５８の通過を可能にするために必要な大きさにされる。第１の開口２３２４は支持アーム２３２７内で固定され、装置ハブ２１１０上の翼２１１５と係合して捕らえる（図２３Ｃの容器２３００の上面図の図表版によりはっきりと示される）スロット２３２８を有し、針ホルダ２１５８と関連して装置ハブ２１１０を支持して据え付けるように機能する。
【００５５】
容器２３００はさらに、針ホルダ２１５８上の翼２１５５を係合する歯２３３２を有する少なくとも一つ、好ましくは一対のギア２３３０を含む。ギア２３３０は、例えば図２２Ａ−図２２Ｄの実施態様のハンドル２２５０のように、示された実施態様において手動で動作するハンドル（図示せず）により駆動される駆動ギア２３４０によって駆動される。ハンドルが示されているが、例えば現在公知である又は今後開発される電気モーター又は他の電力系統のような他の駆動装置が使われてもよいことはいうまでもない。スペーサリング２３６０のようなスペーサは、ギア２３３０が支持アーム２３２７と関連して回転できる一方でギア２３３０及び支持アーム２３２７をゆるく接続するようにギア２３３０と支持アーム２３２７との間で提供される。ギア２３３０は、容器２３００の内部空間２３１０への針ホルダ２１５８の挿入を可能にするように針ホルダ２１５８から間隔を置いて配置される図２３Ａに示される第１の位置と、針ホルダ２１５８及び特に針ホルダ２１５８の翼２１５５と係合する図２３Ｂに示される第２の位置との間で、ハンドル等による駆動ギア２３４０の起動により動くことができる。針ホルダ２１５８の翼２１１５とギア歯２３３２が係合すると、針１５０を有する針ホルダ２１５８が装置ハブ２１１０から分離し容器２３００の内部空間２３１０へ落下するまで、ギア２３３０の回転によって、第１の開口２３２４において捕らえられた装置ハブ２１１０と関連して針ホルダ２１５８の回転が生じる。
【００５６】
装置ハブ２１１０からの針ホルダ２１５８の分離は、支持アーム２３２７に取り付けられる抽出アーム２３７２、及び、装置ハブ２１１０と針ホルダ２１５８との間に最初に存在し最初に針ホルダ２１５８に対して下方へ付勢される抽出用指２３７４を有する排出部材２３７０の使用によって容易にされる。針ホルダの雄ネジ２１５９の露出につながるように装置ハブ２１１０と関連して針ホルダ２１５８が回転すると、抽出用指２２７４が針ホルダ２１５８上の雄ネジ２１５９と係合しそれに沿って進む。装置ハブ２１１０、及び、装置ハブ２１１０と針ホルダ２１５８との間の分離点と関連して針ホルダ２１５８が最終的に回転すると、針ホルダ２１５８に対して抽出用指２３７４によって提供される偏りにより、針ホルダ２１５８が装置ハブ２１１０から離れ、容器２３００の内部空間２３１０へ付勢される。排出部材２３７０の使用が示されているが、そのような排出部材２３７０が任意であり、針ホルダ２１５８は単純に重力のみにより容器２３００の内部空間２３１０に落下してもよいことはいうまでもない。
【００５７】
本開示の様々な実施態様の多機能装置は、様々な使用法を有することができる。試料がハブ室に集められてハブ室が真空源及び針から分離されると、採取した試料は様々な方法で選別することができる。例えば、採取した試料は、異なる生医学的試験のために異なる部分に分割することができる。加えて、ハブ室及び採取した試料は、例えば図７Ａから図９にて説明したように密封することができ、遠心分離管として使用される。したがって、多機能装置のユーザは試料を集めて、例えば採取した試料の他の遠心分離管への移送を必要とせずに試料を選別することができる。したがって、密封されたハブ室及び採取した試料は、採取した試料を所望の位置に供給するための試料移送管として使うことができる。加えて、採取した試料を有する密封された室は、細胞又は微生物培養のために、又は、採取した試料の異なる試験のための試験管として使うことができる。加えて、採取した試料を有する室はセルブロックを調整するために使うことができ、そこで混合マトリクスは、ハブ室から取り除かれて分析される、又は、分析のためにカセットに移されるセルブロックを形成するため、採取した試料に加えられる。他の使用法は考えられる。
【００５８】
例えば、先に述べた多機能吸引及び生検装置の様々な実施態様はまた、採取システム及び注入システムの両方として機能するように他の装置と結合して使うことができ、装置の一部は標的領域から試料を集めるために使うことができ、また、異なる装置を用いて同じ標的領域に材料を供給するためにも使うことができ、その逆も同じである。例えば、図１５Ｃ−図１５Ｄのハブ実施態様１５１０ｂに戻ると、ハブ床面１５１６ｂに集まる試料を得るために使われる針１５０が提供される。標的領域からの試料採取が完了すると、針１５０はハブ１５１０ｂから取り除かれ、その位置で、ハブ室１５２０ｂは密封機構１５０５ｂ使用によりチャネル１５１８ｂと関連して再密封され、試料の輸送及び分析のために、カバー（図１５Ｃにおいて図示せず）がハブ１５１０ｂに適用されてもよい。例えば分離した針ホルダ１５５８ｂのようなキャリアの使用により針１５０はそれから、標的領域（図示せず）に同じ針１５０で注入材料２４４４を供給するため、図２４の注入装置２４００のような他の装置に取り付けられてもよい。
【００５９】
図２４の実施態様の注入装置２４００は、バレル２４３２及びバレル２４３２内で動くことができるプランジャ２４３４を含む真空装置２４３０で構成される。バレル２４３２は、バレル拡張部２４３７を有する側壁２４３６、及び、バレル２４３２と関連してプランジャ２４３４の動きを制限するバレル床面２４３８をさらに含み、バレル床面２４３８及びバレル側壁２４３６は、注入材料２４４４を含んでもよいバレル室２４４０を定める。バレル床面２４３８は、それを通じた針１５０の出口１５４の延伸のための開口又はチャネル２４１８、及び、チャネル２４１８全体に延び、例えば接着剤等の現在公知である又は今後開発される手段によってバレル拡張部２４３７内のバレル床面２４３８の下面２４１７に好ましくは取り付けられる密封機構２４０５をさらに含む。密封機構２４０５は最初にチャネル２４１８によって作成される開口からバレル室２４４０を密封し、バレル室２４４０から注入材料２４４４が漏れるのを防ぐ。針１５０を通じて注入材料２４４４を供給するため、針１５０を注入装置２４００及び標的領域に取り付ける必要がある時、バレル室２４４０と針１５０との間の流体連通を作成するため、針出口１５４が密封機構２４０５及びチャネル２４１８を通じて貫通するまで、針ホルダ１５５８ｂの雄ネジ１５５９ｂはバレル拡張部２４３７上の雌ネジ２４３９にネジ係合する。その後で、針１５０は、バレル室２４４０から標的領域（図示せず）まで注入材料２４４４を供給するために使われる。
【００６０】
別の実施態様において、針ホルダ１５５８ｂ及び針１５０は、標的領域（図示せず）に注入材料２４４４を注入するために最初に注入装置２４００に接続されてもよい。その後で、針１５０及び針ホルダ１５５８ｂはバレル拡張部２４３７から分離されて、同じ又は異なる標的領域（図示せず）から細胞及び他の材料を採取するため、例えば図１５Ｃのハブ１５１０ｂのように本明細書に記載される採取装置のいずれかのような採取装置に取り付けられてもよい。
【００６１】
全体を通じて使われるように、範囲は、その範囲内にあるあらゆる値を説明するための短縮形として使われる。範囲内のいかなる値も、範囲の終点として選ぶことができる。加えて、本明細書のすべての引用文献は、全体として参照により組み込まれたものとする。本開示における定義と引用文献のそれが対立する場合には、本開示のものが採用される。
【００６２】
上述の説明及び図面が本発明の例示的な実施態様を表す一方で、添付の請求の範囲において定義される本発明の趣旨及び範囲から逸脱することなく様々な付加、修正及び代用が作成されてもよいと理解される。特に、本発明がその趣旨又は主要な特徴から逸脱することなく他の特定の形式、構造、配置、比率、サイズ、及び、他の要素、材料及び部品で具体化されてもよいことは当業者には明らかである。当業者には、本発明が、本発明の原理から逸脱することなく特定の環境及び有効な条件に特に適応する本発明の実施に用いられる構造、配置、比率、サイズ、材料及び部品その他の多くの修正により用いられてもよいと認識される。ここに開示された実施態様はそれゆえに、例示的なものであり限定的なものではないとあらゆる点で考えられ、本発明の範囲は添付の請求の範囲によって定められるものであり、上述の説明又は実施態様に制限されるものではない。
【図１Ａ】
2014518648.tif 000003
【図１Ｂ】
2014518648.tif 000004
【図１Ｃ】
2014518648.tif 000005
【図２】
2014518648.tif 000006
【図３Ａ】
2014518648.tif 000007
【図３Ｂ】
2014518648.tif 000008
【図３Ｃ】
2014518648.tif 000009
【図３Ｄ】
2014518648.tif 000010
【図４】
2014518648.tif 000011
【図５】
2014518648.tif 000012
【図６Ａ】
2014518648.tif 000013
【図６Ｂ】
2014518648.tif 000014
【図７Ａ】
2014518648.tif 000015
【図７Ｂ】
2014518648.tif 000016
【図８】
2014518648.tif 000017
【図９】
2014518648.tif 000018
【図１０】
2014518648.tif 000019
【図１１】
2014518648.tif 000020
【図１２Ａ】
2014518648.tif 000021
【図１２Ｂ】
2014518648.tif 000022
【図１３Ａ】
2014518648.tif 000023
【図１３Ｂ】
2014518648.tif 000024
【図１３Ｃ】
2014518648.tif 000025
【図１３Ｄ】
2014518648.tif 000026
【図１４Ａ】
2014518648.tif 000027
【図１４Ｂ】
2014518648.tif 000028
【図１４Ｃ】
2014518648.tif 000029
【図１４Ｄ】
2014518648.tif 000030
【図１４Ｅ】
2014518648.tif 000031
【図１４Ｆ】
2014518648.tif 000032
【図１４Ｇ】
2014518648.tif 000033
【図１４Ｈ】
2014518648.tif 000034
【図１４Ｉ】
2014518648.tif 000035
【図１５Ａ】
2014518648.tif 000036
【図１５Ｂ】
2014518648.tif 000037
【図１５Ｃ】
2014518648.tif 000038
【図１５Ｄ】
2014518648.tif 000039
【図１５Ｅ】
2014518648.tif 000040
【図１５Ｆ】
2014518648.tif 000041
【図１５Ｇ】
2014518648.tif 000042
【図１５Ｈ】
2014518648.tif 000043
【図１６Ａ】
2014518648.tif 000044
【図１６Ｂ】
2014518648.tif 000045
【図１６Ｃ】
2014518648.tif 000046
【図１６Ｄ】
2014518648.tif 000047
【図１７Ａ】
2014518648.tif 000048
【図１７Ｂ】
2014518648.tif 000049
【図１８】
2014518648.tif 000050
【図１９Ａ】
2014518648.tif 000051
【図１９Ｂ】
2014518648.tif 000052
【図１９Ｃ】
2014518648.tif 000053
【図１９Ｄ】
2014518648.tif 000054
【図１９Ｅ】
2014518648.tif 000055
【図１９Ｆ】
2014518648.tif 000056
【図１９Ｇ】
2014518648.tif 000057
【図１９Ｈ】
2014518648.tif 000058
【図１９Ｉ】
2014518648.tif 000059
【図２０】
2014518648.tif 000060
【図２１Ａ】
2014518648.tif 000061
【図２１Ｂ】
2014518648.tif 000062
【図２１Ｃ】
2014518648.tif 000063
【図２１Ｄ】
2014518648.tif 000064
【図２２Ａ】
2014518648.tif 000065
【図２２Ｂ】
2014518648.tif 000066
【図２２Ｃ】
2014518648.tif 000067
【図２２Ｄ】
2014518648.tif 000068
【図２３Ａ】
2014518648.tif 000069
【図２３Ｂ】
2014518648.tif 000070
【図２３Ｃ】
2014518648.tif 000071
【図２４】
2014518648.tif 000072
【国際調査報告】
2014518648.tif 000073
2014518648.tif 000074
2014518648.tif 000075
2014518648.tif 000076